Podtech/llm-jp-corpus-v4-ja_patent huggingface dataset:
【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  a)  金属皮膜で被覆された基板を、少なくとも一種類の窒素含有化合物を有する溶液で上記金属皮膜を処理することにより形成される保護皮膜で覆い、
b)  形成されるべき導体パターンに対応しない領域内で少なくとも部分的に、ＵＶ放射により、金属皮膜が露出されるように上記保護皮膜をはく離し、
さらに、
c)  露出された金属皮膜をエッチングにより除去する
ことからなる、導体パターンを電気絶縁性基板上に形成するための方法において、
ｉ．  窒素含有化合物が次の化合物群、すなわちアルキル-、アリル-及び／又はアラルキル基で置換されたイミダゾール、ベンゾイミダゾール、トリアゾール、ベンゾトリアゾール、ピロール、ピラゾール、オキサゾール、イソキサゾール、チアゾール、ベンゾチアゾール、インドール、アデニン、プリン、キノリン、ピラジン、キナゾリン、グアニン、キサンチン、ヒポキサンチン、インダゾール、クレアチニン、フェナジン、クッフェロン、テトラゾール、チアジアゾール、チアトリアゾール、イソチアゾール並びにそれらの誘導体（ここで、アルキル基は少なくとも三つの炭素原子を有する）のような化合物群から選ばれること、あるいは
ii．  窒素含有化合物が次の化合物群、すなわちアルキル-、アリル-及び／又はアラルキル基で置換されたイミダゾール、ベンゾイミダゾール、トリアゾール、ベンゾトリアゾール、ピロール、ピラゾール、オキサゾール、イソキサゾール、チアゾール、ベンゾチアゾール、インドール、アデニン、プリン、キノリン、ピラジン、キナゾリン、グアニン、キサンチン、ヒポキサンチン、インダゾール、クレアチニン、フェナジン、クッフェロン、テトラゾール、チアジアゾール、チアトリアゾール、イソチアゾール並びにそれらの誘導体（ここでアルキル基は少なくとも三つの炭素原子を有する）のような化合物群から選ばれた化合物が結合されたオリゴマー-又はポリマーを含むこと
を特徴とする方法。
【請求項２】  導体パターンが銅皮膜で被覆された基板上に形成されることを特徴とする請求項１に記載の方法。
【請求項３】  レーザ放射がＵＶ放射として使用されることを特徴とする請求項１又は２に記載の方法。
【請求項４】  上記保護皮膜が、方法ステップb)で露出されるべき金属皮膜領域内において、パルスを出すエキシマレーザーを用いて除去されることを特徴とする請求項１〜３のいずれか一項に記載の方法。
【請求項５】  ＵＶ放射により照射されたマスクが、導体パターンを金属皮膜で被覆された基板上に写像するために使用されることを特徴とする請求項１〜４のいずれか一項に記載の方法。
【請求項６】  保護皮膜が、少なくとも一個の窒素を含有する化合物を含む酸性水溶液と金属皮膜の接触により形成されることを特徴とする請求項１〜５のいずれか一項に記載の方法。
【請求項７】  保護皮膜を形成するための溶液が、次の群から、すなわちリン酸、硫酸、塩酸、亜リン酸、ギ酸、酢酸、グリコール酸、シュウ酸、コハク酸、マレイン酸、酒石酸、アジピン酸及び乳酸から選択された、少なくとも一種類の酸を含むことを特徴とする請求項１〜６のいずれか一項に記載の方法。
【請求項８】  保護皮膜は電気化学的反応により、すなわち金属皮膜の窒素含有化合物を有した溶液との接触の間、少なくとも断続的に金属皮膜及び溶液と接触した電極間に電圧がかかり、又は金属皮膜と電極の標準ポテンシャル差に基づいて、金属皮膜が陽極に、電極が陰極に分極するように電圧が生じ、その結果、電流が金属皮膜と電極間に流れることによって、形成されることを特徴とする請求項１〜７のいずれか一項に記載の方法。
【請求項９】  露出された金属皮膜がアルカリ性金属エッチング溶液で処理されることを特徴とする請求項１〜８のいずれか一項に記載の方法。
【請求項１０】  水平搬送方法が保護皮膜の形成並びに露出された金属皮膜の除去に用いられることを特徴とする請求項１〜９のいずれか一項に記載の方法。
【請求項１１】  保護皮膜が金属皮膜除去後にはく離されることを特徴とする請求項１〜１０のいずれか一項に記載の方法。
【手続補正２】
【補正対象書類名】明細書
【補正対象項目名】００２８
【補正方法】変更
【補正の内容】
【００２８】
窒素含有化合物として、或る場合には、アルカリ基、アリル基及び／又はアラルキル基で置換された環状化合物が用いられ、それら環状化合物は例えば以下の物質分類からなる化合物である：イミダゾール、ベンゾイミダゾール、トリアゾール、ベンゾトリアゾール、ピロール、ピラゾール、オキサゾール、イソキサゾール、チアゾール、ベンゾチアゾール、インドール、アデニン、プリン、キノリン、ピラジン、キナゾリン、グアニン、キサンチン、ヒポキサンチン、インダゾール、クレアチニン、フェナジン、クッフェロン、テトラゾール、チアジアゾール、チアトリアゾール、イソチアゾール並びにそれらの誘導体であって、その際アルキル基には少なくとも三個の炭素原子が含まれている。
【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  通信装置における予め定められたタイプの構成情報を早期に検出する方法において、
それぞれ情報部分を含んでいる複数のフレームに形成されたデータパケットを受信し、
フレームに形成されたデータパケットの１つ内の情報部分の開始点を検出し、その検出は、複数のフレームに形成されたデータパケットを走査し、フレームの境界を定める符号を識別することによってフレームに形成された１つのデータパケットの情報部分の開始点を設定し、
情報部分内の予め定められた数のバイトの内容をアンエスケープし、
アンエスケープされた予め定められた数のバイトの内容が予め定められた符号を含んでいるときを識別し、
アンエスケープされた予め定められた数のバイトの内容が予め定められた符号を含んでいるとき、予め定められた数のバイトに続く付加的な連続的なバイトの内容をアンエスケープし、
アンエスケープされた予め定められた数のバイトの内容と、付加的な連続的なバイトの内容が予め定められたタイプの構成情報を含んでいるときを識別し、
構成情報が予め定められたタイプであるとき、情報部分が予め定められたタイプの構成情報を含んでいるときフレームに形成された１つのデータパケットをアンフレームするステップを含んでいる方法。
【請求項２】  通信装置における予め定められたタイプの構成情報を早期に検出する方法において、
それぞれ情報部分を含んでいる複数のフレームに形成されたデータパケットを受信し、
フレームに形成された１つのデータパケット内の情報部分の開始点を検出し、その検出は複数のフレームに形成されたデータパケットの走査と、フレームの境界を定める符号を識別することによってフレームに形成された１つのデータパケットの情報部分の開始点の設定とを含んでおり、
情報部分の特定の１以上のバイトの内容が特定のバイトに関連するタイプの情報を含んでいるときを識別し、
特定のバイトの内容が予め定められたタイプの構成情報を含んでいるときを識別し、
情報部分が予め定められたタイプの構成情報を含んでいるときフレームに形成された１つのデータパケットをアンフレームし、
特定のバイトの内容が予め定められたタイプの構成情報をもたないとき次の段へ進行し、予め定められたタイプの構成情報は特定のバイトの次のバイト位置に配置されるステップを含んでいる方法。
【請求項３】  次の段へ進行するステップはさらに、
情報部分の少なくとも１つの連続するバイトの内容を検査し、連続するバイトは特定のバイトに後続しており、
連続するバイトの内容が連続するバイトに関連するタイプの情報を含んでいるときを識別し、
連続するバイトの内容が予め定められたタイプの構成情報を含んでいるときを識別し、連続するバイトの内容が予め定められたタイプの構成情報を含むまで情報部分の連続的なバイトを逐次的に検査するステップを含んでいる請求項２記載の方法。
【請求項４】  特定のバイトの内容および連続するバイトの内容はエスケープされた情報を含んでいる請求項３記載の方法。
【請求項５】  特定のバイトの内容および連続するバイトの内容はアンエスケープされた情報を含んでいる請求項３記載の方法。
【請求項６】  （ｉ）それぞれ情報部分を含んでいる複数のフレームに形成されたデータパケットを送信および受信する端末装置と、（ii）その端末装置に結合されている通信装置とを具備する予め定められたタイプの構成情報を早期に検出するシステムにおいて、前記通信装置は、
フレームに形成されたデータパケットの１つ内の情報部分の開始点を検出し、情報部分が予め定められたタイプの構成情報を含んでいるときを識別し、
情報部分が予め定められたタイプの構成情報を含んでいるとき、フレームに形成されたデータパケットの１つをアンフレームするように動作し、
前記検出およびアンフレームは、
複数のフレームに形成されたデータパケットを走査し、フレームの境界を定める符号を識別することによってフレームに形成された１つのデータパケットの情報部分の開始点を設定し、
情報部分内の予め定められた数のバイトの内容をアンエスケープし、
アンエスケープされた予め定められた数のバイトの内容が予め定められた符号を含んでいるときを識別し、
アンエスケープされた予め定められた数のバイトの内容が予め定められた符号を含んでいるとき、予め定められた数のバイトに続く付加的な連続的なバイトの内容をアンエスケープし、
アンエスケープされた予め定められた数のバイトの内容および付加的な連続的なバイトの内容が予め定められたタイプの構成情報を含んでいるときを識別するシステム。
【請求項７】  （ｉ）それぞれ情報部分を含んでいる複数のフレームに形成されたデータパケットを送信および受信する端末装置と、（ii）その端末装置に結合されている通信装置とを具備する予め定められたタイプの構成情報を早期に検出するシステムにおいて、前記通信装置は、
フレームに形成されたデータパケットの１つ内の情報部分の開始点を検出し、情報部分が予め定められたタイプの構成情報を含んでいるときを識別し、
情報部分が予め定められたタイプの構成情報を含んでいるとき、フレームに形成された１つのデータパケットをアンフレームするように動作し、
前記検出およびアンフレームは、
複数のフレームに形成されたデータパケットを走査し、フレームの境界を定める符号を識別することによってフレームに形成されたデータパケットの１つの情報部分の開始点を設定し、
情報部分の１以上の特定のバイトの内容が１以上の特定のバイトに関連するタイプの情報を含んでいるときを識別し、
１以上の特定のバイトの内容が予め定められたタイプの構成情報を含んでいるときを識別し、
１以上の特定のバイトの内容が予め定められたタイプの構成情報をもたないとき次の段へ進行し、予め定められたタイプの構成情報は１以上の特定のバイトの次のバイト位置に配置されるシステム。
【請求項８】  次の段へ進行するときさらに、
情報部分の少なくとも１つの連続するバイトの内容を検査し、連続するバイトは特定のバイトに後続しており、
連続するバイトの内容が連続するバイトに関連するタイプの情報を含んでいるときおよび、連続するバイトの内容が予め定められたタイプの構成情報を含んでいるときを識別し、
連続するバイトの内容が予め定められたタイプの構成情報を含むまで情報部分の連続的なバイトを逐次検査するステップを含んでいる請求項７記載のシステム。
【請求項９】  特定のバイトの内容および連続するバイトの内容はエスケープされた情報を含んでいる請求項８記載のシステム。
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
式Ｉの化合物を含んでなる、ニューロパシー性疼痛の処置のための薬学的組成物：
【化１】
2003509349.tif 000001
（上記式中、Ｒは、水素またはハロゲン原子であり、Ｒ２およびＲ３は、同一または異なっていてもよく、水素または１〜３個の炭素原子を有する直鎖アルキルもしくは分枝アルキルであり、そしてＸおよびＹのうちの一方は、炭素原子であり、他方は、窒素原子であり、ただし、メタンスルホンアミド基は、ＸまたはＹで表される炭素原子に結合している）。
【請求項２】
式Ｉの化合物が、１，２−ベンゾイソキサゾール−３−メタンスルホンアミド（ゾニサミド）である、請求項１に記載の薬学的組成物。
【請求項３】
式Ｉの化合物が、１日あたり１ｍｇ／ｋｇ〜４００ｍｇ／ｋｇの範囲で提供される、請求項１に記載の薬学的組成物。
【請求項４】
経口投与されることが意図される、請求項２または３に記載の薬学的組成物。
【請求項５】
単位投薬形態で提供される、請求項４に記載の薬学的組成物。
【請求項６】
神経周囲適用が意図される、請求項１に記載の薬学的組成物。
【請求項７】
ニューロパシー性疼痛を有するかまたは示す皮膚領域に局所的に投与されることが意図される、請求項１に記載の薬学的組成物。
【請求項８】
経口投与されることが意図される、請求項１に記載の薬学的組成物。
【請求項９】
ニューロパシー性疼痛が、糖尿病性ニューロパシー、眼性ニューロパシー、神経損傷後のニューロパシー、三叉神経痛、ヘルペス後神経痛、反射性交感神経性ジストロフィー、癌性疼痛およびＡＩＤＳ関連ニューロパシーからなる群より選択される、請求項１に記載の薬学的組成物。
【請求項１０】
式Ｉの化合物が、１，２−ベンゾイソキサゾール−３−メタンスルホンアミド（ゾニサミド）である、請求項９に記載の薬学的組成物。
【請求項１１】
式Ｉの化合物が、１日あたり１ｍｇ／ｋｇ〜４００ｍｇ／ｋｇの範囲で提供される、請求項９または１０に記載の薬学的組成物。
【請求項１２】
経口投与されることが意図される、請求項１０または１１に記載の薬学的組成物。
【請求項１３】
単位投薬形態で提供される、請求項１２に記載の薬学的組成物。
【請求項１４】
神経周囲適用が意図される、請求項９に記載の薬学的組成物。
【請求項１５】
ニューロパシー性疼痛を有するかまたは示す皮膚領域に局所的に投与されることが意図される、請求項９に記載の薬学的組成物。
【請求項１６】
経口投与されることが意図される、請求項９に記載の薬学的組成物。
【請求項１７】
ニューロパシー性疼痛を有するかまたは示す皮膚領域への直接適用によって、哺乳動物の皮膚領域におけるニューロパシー性疼痛の処置のための経皮パッチであって、式Ｉの化合物を含んでなる経皮パッチ：
【化２】
2003509349.tif 000002
（上記式中、Ｒは、水素またはハロゲン原子であり、Ｒ２およびＲ３は、同一または異なっていてもよく、水素または１〜３個の炭素原子を有する直鎖アルキルもしくは分枝アルキルであり、そしてＸおよびＹのうちの一方は、炭素原子であり、他方は、窒素原子であり、ただし、メタンスルホンアミド基は、ＸおよびＹのいずれかの炭素原子に結合している）。
【請求項１８】
式Ｉの化合物が、ゾニサミドである、請求項１７に記載の経皮パッチ。
【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  （１）１ｍ以上の長手寸法及び（２）１ｍ以上の対角線寸法の一方又は両方を有する少なくとも１つの連続部分を有する基材、並びに、ドープされた導電性ポリマーを含む緩衝層の上又は下にある電極層を含んでなる大面積有機電子デバイス。
【請求項２】  前記デバイスが有機発光ダイオードである、請求項１に記載の大面積有機電子デバイス。
【請求項３】  前記基材が可撓性である、請求項１に記載の有機電子デバイス。
【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
椎間インプラント（１５）を椎体（１９、２０）の終板へ固定するための２つの固定手段（２１）を有する椎間インプラント（１５）であって、
Ａ）各固定手段（２１）が、中心軸（６）と前記中心軸（６）に対して横方向に立つ２つの端面（４、５）を含んで成る固定部（１）を含んで成り、
Ｂ）各固定手段（２１）が、前記端面（４、５）を介して、前記中心軸（６）に対して平行に突出し、椎体（１９、２０）の終板へ圧入可能な少なくとも２つのスパイク（７）を含んで成る椎間インプラント（１５）において、
Ｃ）前記固定部（１）が前記中心軸（６）に対して平行に貫通する空洞（３）を含んで成り、
Ｄ）前記固定部（１）が、それによって固定部が椎間インプラント（１５）において着脱式にロック可能である固定手段（９）を含んで成り、
Ｅ）前記椎間インプラント（１５）が末端でそれぞれ前記中心軸（６）に交差する閉鎖プレート（１３、１４）を含んで成り、かつ
Ｆ）前記閉鎖プレート（１３、１４）が前記空洞（３）を通じて前記固定部（１）へ貫通可能であることを特徴とする椎間インプラント（１５）。
【請求項２】
前記固定手段（９）が、前記中心軸（６）に対して横方向に弾性に変形可能であり、かつ変形されていない状態で前記空洞（３）に突出することを特徴とする請求項１に記載の椎間インプラント（１５）。
【請求項３】
前記固定手段（９）が、前記中心軸（６）へ方向づけされた突出部（１１）とともに前記中心軸（６）に対して横方向に弾性に変形可能なフック（１０）であることを特徴とする請求項２に記載の椎間インプラント（１５）。
【請求項４】
前記フック（１０）が前記空洞（３）に配置されていることを特徴とする請求項３に記載の椎間インプラント（１５）。
【請求項５】
前記固定手段（９）および前記固定部（１）が一塊状であることを特徴とする請求項１〜４のいずれか一項に記載の椎間インプラント（１５）。
【請求項６】
前記空洞（３）が、その中に前記フック（１０）が配置されている窪み（８）を含んで成ることを特徴とする請求項３〜５のいずれか一項に記載の椎間インプラント（１５）。
【請求項７】
前記窪み（８）が前記中心軸（６）に対して垂直に深さＴを有し、かつ前記突出部（１１）が前記中心軸（６）に対して垂直に測定して最大の長さＬを有し、ここでＬ＜Ｔであることを特徴とする請求項６に記載の椎間インプラント（１５）。
【請求項８】
前記固定部（１）が環状に形成されており、かつ前記空洞（３）の前記中心軸（６）に対して直交の横断面および／または前記固定部（１）の外側被覆面によって制限された前記中心軸（６）に対して直交の横断面が、円形面、楕円面、多角面、または卵形面であることを特徴とする請求項１〜７のいずれか一項に記載の椎間インプラント（１５）。
【請求項９】
末端でそれぞれ前記中心軸（６）に交差する閉鎖プレート（１３、１４）を含んで成り、かつ前記空洞（３）の形が前記閉鎖プレート（１３、１４）に適合されていることを特徴とする請求項１〜８のいずれか一項に記載の椎間インプラント（１５）。
【請求項１０】
前記閉鎖プレート（１３、１４）が遊びなしに前記固定部（１）の前記空洞（３）に位置しており、かつ前記中心軸（６）に対して平行に移動可能であることを特徴とする請求項９に記載の椎間インプラント（１５）。
【請求項１１】
前記固定部（１）が、前記閉鎖プレート（１３、１４）へ固定された固定手段（９）によって前記中心軸（６）の周りのねじれに対して遊びを有することを特徴とする請求項１〜８のいずれか一項に記載の椎間インプラント（１５）。
【請求項１２】
前記閉鎖プレート（１３、１４）が第２の固定手段を含んで成り、前記固定手段（９）が前記固定部（１）へかみ合わせ可能であることを特徴とする請求項１〜１１のいずれか一項に記載の椎間インプラント（１５）。
【請求項１３】
外側被覆面（１６）を有し、かつ第２の固定手段として前記固定手段（９）を部分的に受入れるために前記中心軸（６）に対して横方向に前記被覆面（１６）へ貫入する溝（１８）を含んで成ることを特徴とする請求項１２に記載の椎間インプラント（１５）。
【請求項１４】
前記閉鎖プレート（１３、１４）が軸方向に外側の、直径が削減された部分（２２）を含んで成ることを特徴とする請求項１〜１３のいずれか一項に記載の椎間インプラント（１５）。
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
身体内に内腔を形成する壁を有している血管の中にて、遠位側を保護するための装置であって、かかる装置が、近位端及び遠位端を有し、長手軸線を有してなる細長い管状部材と、近位端及び遠位端を有する拡張部材であって、細長い管状部材の遠位端に支持されて、半径方向に縮小した形態と拡張した形態との間において可動になっているような上記拡張部材と、半径方向に拡張した形態における拡張部材の少なくとも一部分を被覆するような変形可能な膜と、拡張部材の遠位端に結合された案内部材であって、近位端及び遠位端を有しているような前記案内部材と、前記拡張部材を半径方向に縮小した形態と拡張した形態との間にて動かすべく、細長い管状部材の近位端に支持されたハンドル組立体であって、細長い管状部材の近位端から脱着可能になっているような前記ハンドル部材と、を備えていることを特徴とする装置。
【請求項２】
細長い管状部材の遠位端に支持されていて、拡張部材が半径方向に縮小した形態と拡張した形態との間にて動くとき、案内部材の遠位端に結合可能になっているような案内管をさらに備えていることを特徴とする請求項１に記載の装置。
【請求項３】
前記ハンドル組立体を細長い管状部材の前記近位端に対して固定するためのロック及びキーの機構をさらに含んでいることを特徴とする請求項１に記載の装置。
【請求項４】
拡張部材が半径方向に縮小した形態になっているとき、装置の横断面寸法が０．０１０〜０．０４０インチの範囲であることを特徴とする請求項１に記載の装置。
【請求項５】
半径方向に拡張した形態における拡張部材は複数の開口を備えていて、該開口を介して血餅物質が回収されることを特徴とする請求項１に記載の装置。
【請求項６】
半径方向に拡張した形態における拡張部材は内部チャンバを備え、前記変形可能な膜は、拡張部材の近位端に重なるような少なくとも第１の開口を備えていて、血管中を流れる血液及び血餅物質が前記チャンバに入ると共に、前記拡張部材に結合されたフィルタをさらに含み、該フィルタを通って前記チャンバから血液が排出されることを特徴とする請求項５に記載の装置。
【請求項７】
前記フィルタは、前記変形可能な膜によって支持されてなる複数の微小孔を含んでいることを特徴とする請求項６に記載の装置。
【請求項８】
前記複数の微小孔は、拡張部材の遠位端に重なっていることを特徴とする請求項７に記載の装置。
【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
少なくとも２つの骨固定要素（２）を有し、その両方が骨上または骨内に固定される部分（３）と、通路（４）とが備えられている骨固定装置（１）であって、それによって前記装置（１）は、多くの骨固定要素（２）の２つの隣接した要素の前記通路（４）に挿入され、かつその中に固定されうる少なくとも２つの長手方向のしなやかな接続部材（５）を含んで成る装置（１）において、
前記装置（１）が対称の平面を有し、かつ前記接続部材（５）が前記対称の平面に対して平行に配置されている
ことを特徴とする装置（１）。
【請求項２】
前記骨固定要素（２）には閉塞要素（６）が提供されており、それによって前記骨固定要素（２）に対して前記通路（４）に挿入される接続部材（５）の可動性が場合により固定され、かつ分離されうることを特徴とする請求項１に記載の装置（１）。
【請求項３】
前記骨固定要素（２）が以下の群、すなわち、骨ネジ、骨リトラクタ、および骨プレートの中から選択されることを特徴とする請求項１または２に記載の装置（１）。
【請求項４】
前記通路（４）が周囲が閉じられた管であることを特徴とする請求項１ないし３に記載の装置（１）。
【請求項５】
前記通路（４）が、好ましくはＵ字状の形状を有する溝の形で周囲が開放された溝であることを特徴とする請求項１ないし３に記載の装置（１）。
【請求項６】
前記接続部材（５）が棒状であり、好ましくは円形の断面形状を備えていることを特徴とする請求項１ないし５のいずれかに記載の装置。
【請求項７】
接続部材（５）の数が、４、５、６、または７個であることを特徴とする請求項１ないし６のいずれかに記載の装置（１）。
【請求項８】
前記通路（４）の直径および前記接続部材（５）の直径が互いに調整され、前記接続部材（５）が前記通路（４）へ受入れられて確実に係合するようになっていることを特徴とする請求項１ないし７のいずれかに記載の装置（１）。
【請求項９】
前記通路（４）の断面が多面体、好ましくは、正方形、長方形、または三角形であることを特徴とする請求項１ないし８のいずれかに記載の装置（１）。
【請求項１０】
前記通路（４）へ挿入された前記接続部材（５）が互いに接触することを特徴とする請求項１ないし９のいずれかに記載の装置（１）。
【請求項１１】
前記骨固定要素（２）が骨ネジであり、骨に固定される部分（３）がネジ軸部であり、前記骨ネジには頭部（７）が提供されており、ここで通路（４）が、キャップの形で実現される閉塞要素（６）によって閉鎖されうるＵ字状の溝の形で実現されており、前記溝に配置された接続部材（５）の可動性が阻止されうることを特徴とする請求項１ないし１０のいずれかに記載の装置（１）。
【請求項１２】
前記しなやかな接続部材（５）の表面には粗パターンまたは微細構造パターンが備えられていることを特徴とする請求項１ないし１１のいずれかに記載の装置（１）。
【請求項１３】
前記しなやかな接続部材（５）の表面にはマクロ構造パターンが備えられていることを特徴とする請求項１ないし１２のいずれかに記載の装置（１）。
【請求項１４】
前記通路（４）の表面には粗パターンまたは微細構造パターンが備えられていることを特徴とする請求項１ないし１３のいずれかに記載の装置（１）。
【手続補正書】
【提出日】平成18年6月2日(2006.6.2)
【手続補正１】
【補正対象書類名】特許請求の範囲
【補正対象項目名】全文
【補正方法】変更
【補正の内容】
【書類名】特許請求の範囲    【請求項１】  人間の肌におけるウィルス性の現象を経皮的に抑制する方法において、  第１制御期間中、間隔をおいた電極間の前記肌のウィルスのついた領域を横切って１ミリアンペアよりも低い第１極性の低アンペア電流信号を外部から加える工程と、 ほぼ瞬時に前記第１極性を反転し、第２制御期間中、前記電極間の前記ウィルスのついた領域に１ミリアンペアよりも低い低アンペア電流信号を逆に外部的に加える工程とを含むことを特徴とする方法。    【請求項２】  請求項１に記載の方法において、第１及び第２差動出力回路は、最初前記第１極性期間中はある方向に、その後反転極性の期間中は反対方向に、前記電流信号を前記電極間に連続して供給することを特徴とする方法。    【請求項３】  請求項２に記載の方法において、前記第１及び第２差動出力回路を、オフの場合、ゼロバイアスをかける工程をさらに含むことを特徴とする方法。    【請求項４】  請求項２に記載の方法において、該方法をタイムアウトし、前記差動出力回路の急速な回復を引き起こし、該方法を繰り返す工程をさらに含むことを特徴とする方法。    【請求項５】  請求項１に記載の方法において、予め決められた間隔後、電気エネルギーの低電圧源へのアクセスを自動的に中止し、電力を保存する工程をさらに含むことを特徴とする方法。    【請求項６】  請求項５に記載の方法において、前記電気エネルギー源へのアクセスは、人間の介入によって回復されることを特徴とする方法。    【請求項７】  請求項１に記載の方法において、前記電極間を通る前記電流信号は、ウィルスがついた領域を通過することを特徴とする方法。    【請求項８】  請求項１に記載の方法において、前記電極間の前記電流信号は、正弦波、半波整流波、全波整流波及びランプ波形から成るグループから選択される波形を具えることを特徴とする方法。    【請求項９】  請求項１に記載の方法において、前記電極間の前記電流信号は、方形波、三角波、のこぎり波及び逆ランプ波から成るグループから選択される波形を具えることを特徴とする方法。    【請求項１０】  請求項１に記載の方法において、出力極性は、トリガ回路によって反転されることを特徴とする方法。    【請求項１１】  請求項１に記載の方法において、該方法は、携帯用装置の使用を含むことを特徴とする方法。    【請求項１２】  請求項１に記載の方法において、前記ほぼ瞬時の極性の反転は、数マイクロ秒において起こり、各々の方向における１ミリアンペアよりも低い前記出力電流信号は数秒を占めることを特徴とする方法。    【請求項１３】  請求項１に記載の方法において、前記電流は、電気エネルギーの低電圧源から得られることを特徴とする方法。    【請求項１４】  請求項１に記載の方法において、該方法は、前記出力電流信号を皮下組織中に深く駆動する高ゲイン増幅を用いることを特徴とする方法。    【請求項１５】  請求項１４に記載の方法において、前記高ゲイン増幅は、前記電極に伝達される前記信号を再生することによって達成されることを特徴とする方法。    【請求項１６】  請求項１に記載の方法において、前記出力電流信号のレベルを検出し、前記レベルが予め決められた量を超える場合、警告を与え、前記電極間の電流の流れを止める工程をさらに含むことを特徴とする方法。    【請求項１７】  請求項１に記載の方法において、該方法が安全制限内で正確に動作している場合にはその旨ユーザに示す工程をさらに含むことを特徴とする方法。    【請求項１８】  人間の肌におけるウィルス性の現象を経皮的に抑制する装置において、  電気的エネルギーの低電圧源と、  間隔を置いた電極と、  前記低電圧源及び前記電極に接続され、１ミリアンペアよりも低い低アンペア電流信号を、最初にある方向において、その後に反対方向において、前記電極間で人間のウィルスがついた肌領域を通過させる回路網と  を具えることを特徴とする装置。【手続補正２】
【補正対象書類名】明細書
【補正対象項目名】０００４
【補正方法】変更
【補正の内容】
【０００４】  要約において、本発明は、ウィルス性の現象を抑制することに関係する過去の問題を、ウィルスのついた領域に極性が反転する電流信号を負わせる装置及び方法によって、克服又は実質的に軽減する。
【手続補正３】
【補正対象書類名】明細書
【補正対象項目名】０００６
【補正方法】変更
【補正の内容】
【０００６】  他の主要な目的は、電極間の電流信号を最初に一方向において次に他の方向において負わせる装置及び方法を使用してウィルス現象を抑制することである。
【手続補正４】
【補正対象書類名】明細書
【補正対象項目名】００１４
【補正方法】変更
【補正の内容】
【００１４】  二極双投スイッチは、極性を急速に反転するのに使用されてもよい。最初に第１方向、次に第２方向における前記信号は、２個の差動回路から向かい合った２個のプローブ又は電極を経て連続的に発せられる出力を具える。開示される装置における前記差動回路の内部回路網は、ゼロバイアス回路網を具える。前記ゼロバイアス回路網は、プッシュボタンの手動操作によって非活性化される。ゼロバイアスは、反転極性信号がタイムアウトする場合に復帰し、電力を保存する。高ゲインが達成されることができ、活性離散的な要素は抑制器において利用されることができる。再生回路は、急速な利用のために前記抑制器をブートすることができる。
【手続補正５】
【補正対象書類名】明細書
【補正対象項目名】００１６
【補正方法】変更
【補正の内容】
【００１６】  ２個の間隔を置いた電極又はプローブは、取り外し不可能であってもよく、非金属導電性材料のものにして、耐用年数を増し、腐食を防ぎ、使用間のより効率的な清掃を可能にしてもよい。前記電極間の電流信号は、好適には、プローブ表面の大きい領域を横切って払い出されるか、または広げられ、潜在的な害を減少し、ウィルスのついた領域のすべての部分中に拡散できるようにする。金属プローブを経て集中した信号は、ユーザへのより高い負傷のリスクを形成するかもしれない。バッテリは、きわめて小さい寸法の商業的に利用可能な９ボルトトランジスタラジオバッテリが現在好適であっても、任意の好適な形式のものであってもよい。開示される装置におけるこのようなバッテリの耐用年数は、数年間であってもよい。少ない電圧ロスは、出力回路の飽和を生じるために使用される場合、高ゲイン及び再生特徴で生じることができる。はんだ付けされたバッテリ導体は、腐食が少ないため、より長く利用可能な耐用年数に関して、スナップコネクタより好適である。
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
患者の心臓について、その心拍出量を把握するための装置であって、該患者は、該患者の前腕部内において、心臓から供給される動脈血を含む動脈と、心臓へと戻される静脈血を含む静脈と、を延在させているような、上記装置において、この装置が、制御及び表示モジュールと、患者の前腕部における静脈中に挿入すべく適合してなる静脈プローブであって、制御及び表示モジュールに結合され、静脈中の静脈血に溶解している酸素に相当する電気信号を提供するような上記静脈プローブと、患者の前腕部における動脈中に挿入すべく適合してなる動脈プローブであって、制御及び表示モジュールに結合され、動脈中の動脈血に溶解している酸素に相当する電気信号を提供するような上記動脈プローブと、を備え、制御及び表示モジュールは、視認可能である表示装置を備え、制御及び表示モジュールの内部電子回路に含まれるマイクロプロセッサは、静脈プローブ及び動脈プローブからの電気出力信号を受け、生体内における心拍出量を連続的に表示装置上に表示し、動静脈酸素差方程式を利用するものであって、該方程式は、患者の肺動脈血と混合した静脈血に対する調節というよりも、患者の前腕部においてサンプリングされた静脈血に対する調節を行うような調節係数を含んでいる、ことを特徴とする装置。
【請求項２】
各プローブは、外径が２０ゲージ未満であるカニューレを備えていて、患者の前腕部における静脈及び動脈に、該カニューレを容易に挿入できるようになっていることを特徴とする請求項１に記載の装置。
【請求項３】
前記静脈プローブ及び動脈プローブのそれぞれは、ハブと、ハブに取り付けられたカニューレと、カニューレに取り付けられた酸素センサ組立体であって、酸素センサ組立体の上に重なるような開口部をカニューレが有しているような上記酸素センサ組立体と、前記カニューレの前記開口部を覆う酸素透過膜とを備え、前記酸素センサ組立体は、カニューレの内部に収容された緩衝液と、緩衝液の中に配置されて電気出力を提供する第１及び第２の電極を備え、センサ組立体に結合され、電気出力をカニューレを介してハブへと供給する手段と、ハブ内の導体と制御及び表示モジュールとに結合された電気ケーブルと、を備えていることを特徴とする請求項１に記載の装置。
【請求項４】
前記プローブのそれぞれにおけるハブは、ハブの把持を容易にすべく蝶形状である翼部を備えていて、ハブを用いてカニューレを容易に挿入できるようになっていることを特徴とする請求項１に記載の装置。
【請求項５】
前記プローブのそれぞれにおける前記カニューレは、外径が２０ゲージ未満になっていて、患者の前腕部における静脈及び動脈に、該カニューレを容易に挿入できるようになっていることを特徴とする請求項１に記載の装置。
【請求項６】
少なくともひとつの前記プローブは、カニューレ内の酸素センサに対して近位側に配設されてなる追加センサ組立体をカニューレ内に備えて電気出力を提供し、カニューレ内には追加センサ組立体を酸素センサ組立体から隔離する手段を備え、一方のセンサ組立体は、他方のセンサ組立体が測定する測定値に干渉することがなく、カニューレは、追加センサ組立体の上に重なるような開口部と、カニューレにおける前記追加開口部を覆う酸素透過膜と、を備えていることを特徴とする請求項１に記載の装置。
【請求項７】
前記酸素センサ組立体は、緩衝液に対する接触を最大化すべく、コイル状に形成された電極を備えていることを特徴とする請求項６に記載の装置。
【請求項８】
心拍出量及びその他のパラメータを把握するために、制御及び表示モジュールに結合されて使用されるプローブであって、このプローブが、ハブと、ハブに取り付けられたカニューレと、カニューレに取り付けられた酸素センサ組立体とを備え、カニューレは、開口部と、カニューレの前記開口部を覆う酸素透過膜とを備え、前記酸素センサ組立体は、カニューレの内部に収容された緩衝液と、緩衝液の中に配置されて電気出力を提供する第１及び第２の電極を備え、センサ組立体に結合され、電気出力をカニューレを介してハブへと供給する導体手段と、電気出力を制御及び表示モジュールへと供給すべく、ハブと酸素センサ組立体の導体とに結合された電気ケーブルと、を備えていることを特徴とするプローブ。
【請求項９】
前記第１及び第２の電極のうちのひとつは、緩衝液に対する接触を最大化すべく、コイル状に形成された遠位端を備えていることを特徴とする請求項８に記載のプローブ。
【請求項１０】
前記ハブは、手先の指にて把持されるべく適合した、蝶形状である翼部を備えていて、プローブを患者の前腕部における動脈又は静脈に容易に挿入できるようになっていることを特徴とする請求項８に記載のプローブ。
【請求項１１】
前記カニューレの外径が２０ゲージ未満であることを特徴とする請求項８に記載のプローブ。
【請求項１２】
前記プローブがさらに、カニューレ内の酸素センサ組立体に対して近位側に配設されてなる追加センサ組立体をカニューレ内に備えて電気出力を提供し、追加センサ組立体を酸素センサ組立体から隔離する手段を備え、一方のセンサ組立体の測定値は、他方のセンサ組立体に干渉することがなく、前記カニューレは、追加センサ組立体の上に重なるような追加開口窓と、カニューレにおける前記追加開口部を覆う酸素透過膜と、を備えていることを特徴とする請求項８に記載のプローブ。
【請求項１３】
前記カニューレは、プラスチックから形成されていることを特徴とする請求項８に記載のプローブ。
【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
女性尿失禁の治療に用いる外科用針であって、
ハンドルと、
２つの端部を有する直線セクションであって、一端が前記ハンドルに接続される、直線セクションと、
２つの端部を有する螺旋セクションであって、一端が前記直線セクションの他端と接合部で接続される、螺旋セクションと
を備え、
該螺旋セクションの他端は先端で終わる自由端である、女性尿失禁の治療に用いる外科用針。
【請求項２】
前記螺旋セクションは、円の１／２〜３／４を画定する長さを有する、請求項１に記載の女性尿失禁の治療に用いる外科用針。
【請求項３】
前記螺旋セクションの前記先端は、前記接合部から４〜８ｃｍの水平距離にある垂直平面に位置する、請求項１または２に記載の女性尿失禁の治療に用いる外科用針。
【請求項４】
前記螺旋セクションの前記先端は、前記接合部より上に最大３．５ｃｍ離間している、請求項１〜３のいずれか一項に記載の女性尿失禁の治療に用いる外科用針。
【請求項５】
前記螺旋セクションは、２〜５ｍｍの直径および６〜１８ｃｍの長さを有する、請求項１〜４のいずれか一項に記載の女性尿失禁の治療に用いる外科用針。
【請求項６】
前記螺旋セクションは、２〜５ｍｍの直径および４．５〜１７．６ｃｍの長さを有する、請求項１〜４のいずれか一項に記載の女性尿失禁の治療に用いる外科用針。
【請求項７】
前記螺旋セクションの前記先端は小孔を含む、請求項１〜５のいずれか一項に記載の女性尿失禁の治療に用いる外科用針。
【請求項８】
前記螺旋セクションの前記先端は渦巻セグメントを含む、請求項１〜６のいずれか一項に記載の女性尿失禁の治療に用いる外科用針。
【請求項９】
前記螺旋セクションは１つの直線状セグメントをさらに備える、請求項１〜８のいずれか一項に記載の女性尿失禁の治療に用いる外科用針。
【請求項１０】
前記接合部は前記螺旋セクションを着脱可能に保持する、請求項１〜９のいずれか一項に記載の女性尿失禁の治療に用いる外科用針。
【請求項１１】
遠位端が閉じて尖っている矢状管を支持するための、請求項１に記載の針の前記螺旋セクションを備える管支持針。
【請求項１２】
請求項１１に記載の管支持針を導入する側部開口を備える、矢状管。
【請求項１３】
高密度ポリエチレン製である、請求項１２に記載の矢状管。
【請求項１４】
近位端がテープに繋がれる、請求項１２に記載の矢状管。
【請求項１５】
請求項９に記載の外科用針の前記直線状セグメントを受け入れる開管セグメントを備える、導入器。
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
コーヒーのような粉末原料を用いて浸出する飲料を調整するための１回量カプセルにおいて、
それぞれ密閉性の上部のホイル（１３）と密閉性の下部のホイル（１７）が取り付けられた、上部周囲の縁（１２）と下部周囲の縁（１４）を有するケース（１０）と、
開口部（２４）を備え、前記下部の縁（１４）に対してはめ込まれた下部の端壁（１６）と、
前記上部密封ホイル（１３）と前記端壁（１６）との間に形成される、原料で満たされた上部チャンバ（２５）と、
を備え、
前記端壁（１６）は、中心コアと、前記中心コアの周囲で下方に向けられ、前記開口部（２４）が配置されるセグメントを隔てるための複数の放射状のリブ（２６）を備え、その結果、前記上部チャンバ（２５）の下に下部チャンバ（３０）を形成し、および、前記開口部（２４）を通して浸出した飲料は、前記下部密封ホイル（１７）を開かれ、または裂かれるときに形成された注ぎ口を通して下にある容器に向かって供給される前に、乱れた運動によって前記下部チャンバ（３０）を満たすことを特徴とする１回量カプセル。
【請求項２】
請求項１に記載の浸出する飲料を調整するための１回量カプセルであって、前記カプセルの前記端壁（１６）の前記中央コアは、円錐形の尖端（２０）形状の上部、および実質的に円筒形状の下部（２２）を有していることを特徴とする１回量カプセル。
【請求項３】
請求項２に記載の浸出する飲料を調整するための１回量カプセルであって、前記カプセルの前記端壁（１６）の前記中央コアの前記実質的に円筒形状の下部（２２）は、短い円筒形のセグメント（３２）によって互いに分けられた複数の長い円筒形のセグメント（３１）からなっていることを特徴とする１回量カプセル。
【請求項４】
請求項１に記載の浸出する飲料を調整するための１回量カプセルであって、前記下部密封ホイル（１７）は、アルミニウムと結合した三重の層のフィルムからなることを特徴とする１回量カプセル。
【請求項５】
請求項１に記載の浸出する飲料を調整するための１回量カプセルであって、前記ケース（１０）は、わずかに円錐台形（ｆｒｕｓｔｏｃｏｎｉｃａｌ）状であり、望ましくは、食品に適合性のあるグレードのポリプロピレンの熱成形によって作られることを特徴とする１回量カプセル。
【請求項６】
請求項１に記載の浸出する飲料を調整するための１回量カプセルであって、前記ケース（１０）の前記上部の縁（１２）は、連続的であり、外側に突き出ていることを特徴とする１回量カプセル。
【請求項７】
請求項１に記載の浸出する飲料を調整するための１回量カプセルであって、前記ケース（１０）の前記下部の縁は、突き出ていないことを特徴とする１回量カプセル。
【手続補正２】
【補正対象書類名】明細書
【補正対象項目名】００１４
【補正方法】変更
【補正の内容】
【００１４】
本発明のもう一つの特徴ある構成によると、ケース１０の端壁１６は、円錐尖端２０の形状の上部分と、実質的に円筒形の下部２２であって、より短い円筒形セグメント３２（図２参照）によって互いに分けられた幾つかのより長い円筒形セグメント３１を備えた下部２２とを有する中心コアの周囲に、放射状のリブ２６（図２および図４参照）によって分けられたセグメントに分布して配置された多数の開口部２４を有する。
【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】
Ａ)混合後に自己硬化性セメントペーストを生成する２成分粉末／液体骨セメント、及び
Ｂ)実質的にセメントペーストと非混和性であり、かつ現場の前記混合物の硬化後にウォッシュアウトされて、多孔性骨置換材料をもたらすのに適している液体からなる第三成分
を含む、現場で骨組織を置換するための注入可能な混合物であって、
Ｃ)前記注入可能な混合物が有機物質であるＸ線造影剤を含むことを特徴とする前記混合物。
【請求項２】
前記Ｘ線造影剤が液体物質又は液体溶媒に溶解された固体物質であることを特徴とする、請求項１に記載の混合物。
【請求項３】
前記Ｘ線造影剤がヨウ素をベースとすることを特徴とする、請求項１又は２に記載の混合物。
【請求項４】
前記注入可能な混合物が少なくとも５重量％の前記Ｘ線造影剤を含むことを特徴とする、請求項１又は２に記載の混合物。
【請求項５】
前記第三成分の前記粘度が1,000〜100,000センチポイズであることを特徴とする、請求項１又は２に記載の混合物。
【請求項６】
全成分の混合の４分後に測定された注入可能な混合物の粘度が200,000〜300,000センチポイズの範囲であることを特徴とする、請求項１又は２に記載の混合物。
【請求項７】
前記２成分骨セメントがポリアクリルセメントであることを特徴とする、請求項１又は２に記載の混合物。
【請求項８】
前記第三成分が水を含むことを特徴とする、請求項１又は２に記載の混合物。
【請求項９】
前記第三成分が水溶性固体物質の不連続の粒子を含むことを特徴とする、請求項１又は２に記載の混合物。
【請求項１０】
前記水溶性固体物質が多糖の群から選ばれることを特徴とする、請求項９に記載の混合物。
【請求項１１】
前記多糖が硫酸コンドロイチン、カルボキシメチルセルロース、ヒドロキシエチルメチルセルロース、フカン、カラゲナン、デキストラン、ヘパリン、硫酸ヘパラン、ヒドロキシエチルセルロース(HEC)、ヒドロキシプロピルメチルセルロース、アルギン酸ナトリウム、キトサン又はヒアルロネートであることを特徴とする、請求項１０に記載の混合物。
【請求項１２】
前記第三成分がヒアルロネート水溶液であることを特徴とする、請求項１又は２に記載の混合物。
【請求項１３】
前記ヒアルロネート水溶液の濃度が0.1％〜5.0％の範囲であることを特徴とする、請求項１２に記載の混合物。
【請求項１４】
前記第三成分が疎水性液体であることを特徴とする、請求項１又は２に記載の混合物。
【請求項１５】
前記混合物が粉末成分及び液体成分に分けられ、それにより
A)前記粉末成分が前記２成分骨セメントの粉末成分及び粉末形態の多糖を含み、かつ
B)前記液体成分が前記２成分骨セメントの液体成分及び前記Ｘ線造影剤の水溶液を含むことを特徴とする、請求項１又は２に記載の混合物。
【請求項１６】
前記第三成分が新たに混合されたリン酸カルシウムセメントペーストであることを特徴とする、請求項１又は２に記載の混合物。
【請求項１７】
前記混合物の全ての粉末粒子のサイズが300マイクロメートルより小さいことを特徴とする、請求項１又は２に記載の混合物。
【請求項１８】
前記混合物がその成分の混合後の７〜10分以内に硬化することを特徴とする、請求項１又は２に記載の混合物。
【請求項１９】
前記硬化混合物が10〜2800MPaの範囲のヤング率を有することを特徴とする、請求項１又は２に記載の混合物。
【請求項２０】
前記混合物が骨形成誘導物質を更に含むことを特徴とする、請求項１又は２に記載の混合物。
【請求項２１】
前記骨形成誘導物質が下記の物質の群：
a)骨形態形成タンパク質、好ましくはBMP2、BMP4又はBMP7、
b)TGFb-3（形質転換増殖因子）又はIGF-1（インスリン様成長因子）、
c)血小板由来成長因子(PDGF)、
d)副甲状腺ホルモン(PHT)及び副甲状腺ホルモン関連タンパク質(PTHrP)、
e)性ホルモン、特にエストロゲン、及び
f)プロスタグランジン
から選ばれることを特徴とする、請求項２０に記載の混合物。
【請求項２２】
前記混合物が坑吸収物質を更に含むことを特徴とする、請求項１又は２に記載の混合物。
【請求項２３】
前記混合物が同化物質、副甲状腺ホルモン(PTH)又はエストロゲンを更に含むことを特徴とする、請求項１又は２に記載の混合物。
【請求項２４】
前記混合物が水素ポンプインヒビターを更に含むことを特徴とする、請求項１又は２に記載の混合物。
【請求項２５】
骨多孔症を治療するための請求項１又は２に記載の注入可能な混合物の使用。
【請求項２６】
骨欠陥を充填するための請求項１又は２に記載の注入可能な混合物の使用。
【請求項２７】
骨多孔症の治療のための薬剤のための担体としての請求項１又は２に記載の注入可能な混合物の使用。
【請求項２８】
下記の工程：
A)骨セメントの２成分を最初に混合する工程、続いて
B)得られた混合物を第三成分中に分散する工程
を含むことを特徴とする請求項１又は２に記載の現場で骨組織を置換するための注入可能な混合物の調製方法。
【請求項２９】
下記の工程：
A)骨セメントの２成分を最初に混合する工程、続いて
B)第三成分を混合された２成分骨セメント中に分散する工程
を含むことを特徴とする請求項１又は２に記載の現場で骨組織を置換するための注入可能な混合物の調製方法。
【請求項３０】
下記の工程：
A)２成分粉末／液体骨セメントを別々に混合する工程、
B)２成分リン酸カルシウムセメントを別々に混合する工程、
C)別々に混合され、依然としてペースト状の２成分リン酸カルシウムセメントを前記の別々に混合され、依然としてペースト状の２成分骨セメントに添加する工程
を含むことを特徴とする請求項１又は２に記載の現場で骨組織を置換するための注入可能な混合物の調製方法。
【請求項３１】
前記第三成分を２成分骨セメント中に分散された第三成分の液滴の平均直径が１mm以下であるような方法で２成分骨セメント中に分散することを特徴とする、請求項２８又は２９に記載の方法。
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
大腿骨に挿入される幹部（１２）を備え、該幹部（１２）は転子領域（４）にあることが予定される転子表面部分を有し、さらに骨の成長を促進するコーティングを有する股関節用義足において、
上記表面部分に専らオステオインダクティブ物質を有することを特徴とする股関節用義足。
【請求項２】
上記オステオインダクティブ物質が、上記転子領域（４）において、上記幹部（１２）から突出する転子突出部（１３）上に専ら与えられることを特徴とする請求項１記載の股関節用義足。
【請求項３】
上記オステオインダクティブ物質が、コーティングにより形成されるか、若しくはコーティングの一部であることを特徴とする請求項１又は２に記載の股関節用義足。
【請求項４】
上記オステオインダクティブ物質が、ビスフォスフォネート若しくはＢＭＰを含むことを特徴とする請求項１〜３のいずれかに記載の股関節用義足。
【請求項５】
上記オステオインダクティブ物質を含む、義足の転子表面の少なくとも一部が、多孔質であることを特徴とする請求項１〜４のいずれかに記載の股関節用義足。
【請求項６】
上記オステオインダクティブ物質が、横方向（１９）側に対してアンダーカットされた、義足の転子表面の表面部分に被覆されることを特徴とする請求項１〜５のいずれかに記載の股関節用義足。
【請求項７】
上記義足の転子表面が、オステオインダクティブコーティング（１６）が設けられた、腹面及び背面を備え、上記腹面及び背面が、互いから、前後方向に、６ｍｍ以上、好ましくは９ｍｍ以上離れていることを特徴とする請求項１〜６のいずれかに記載の股関節用義足。
【請求項８】
上記突出部（１３）が、挿入方向にくさび形に形成され、上記義足にあてがわれたヤスリが、上記突出部の領域においてより小さい体積を有することを特徴とする請求項２記載の股関節用義足。
【請求項９】
上記突出部（１３）が、上記幹部から取り外すことができることを特徴とする請求項２又は８記載の股関節用義足。
【手続補正２】
【補正対象書類名】明細書
【補正対象項目名】００１３
【補正方法】変更
【補正の内容】
【００１３】
骨に挿入される義足が、図１において破線で示されている。そして、図２及び３において実線で示されている。この義足は、頭部１０、頸部１１及び幹部１２からなる。突出部１３が、これらから骨の転子領域４の方向へ突出している。この突出部１３に孔１４を設ける。この孔１４は腹面方向に向いた表面領域を形成している。これらは、横方向１９側に対してアンダーカットされている。これらの孔に成長する骨物質は、アンダーカットの表面をつかみ、それにより、義足から、骨の転子領域まで引っ張り応力を伝達することに貢献する。突出部及びアンダーカット表面を、他の既知の方法により設計してもよい。例えば、突出部を刀の形状に形成しても良いし、又は湾曲した形状に形成しても良い。孔の代わりに、アンダーカット表面を形成するためのより大きなアパーチャー若しくはリブを設けても良い。通常の環境において、正しく挿入された後、転子領域４にある義足のそれらのパーツは、義足の転子表面若しくは転子部分として設計される。これらは、特に突出部１３を含む。
【手続補正３】
【補正対象書類名】図面
【補正対象項目名】全図
【補正方法】変更
【補正の内容】
【図１】
2006513753.tif 000001
【図２】
2006513753.tif 000002
【図３】
2006513753.tif 000003